(57)【特許請求の範囲】
【請求項１】
複数の屋根材と屋根支持材と屋根つなぎ材とを備え、屋根材は、一方側の側縁部に上取付片を有し、他方側の側縁部に下取付片を有し、隣接する屋根材の上取付片と下取付片とを重ねてネジ止めしてあり、屋根つなぎ材は、任意の屋根材間に配置され、本体とカバーとを有し、本体は取付具を介して屋根支持材に取付けてあり、カバーは本体にネジ止めしてあり、屋根つなぎ材の一方側に位置する屋根材の下取付片又は屋根つなぎ材の他方側に位置する屋根材の上取付片のうちの一方の取付片が本体にネジ止めされ、他方の取付片がカバーにネジ止めされ、カバーを本体から外すことでカバーにネジ止めされた屋根材を取外し可能となることを特徴とする組立建物。
【請求項２】
複数の屋根材と屋根支持材と屋根つなぎ材とを備え、屋根材は、一方側の側縁部に上取付片を有し、他方側の側縁部に下取付片を有し、隣接する屋根材の上取付片と下取付片とを重ねてネジ止めしてあり、屋根つなぎ材は、任意の屋根材間に配置され、本体とカバーとを有し、本体は取付具を介して屋根支持材に取付けてあり、カバーは本体にネジ止めしてあり、屋根つなぎ材の一方側に位置する屋根材の下取付片又は屋根つなぎ材の他方側に位置する屋根材の上取付片のうちの一方の取付片が本体にネジ止めされ、他方の取付片が連結具を介して本体にネジ止めされ、カバーを本体から外すことで連結具を介して本体にネジ止めされた屋根材を取外し可能となることを特徴とする組立建物。
【発明の詳細な説明】
【技術分野】
【０００１】
本発明は、通路用シェルター等の組立建物に関する。
【背景技術】
【０００２】
非特許文献１には、屋根を奥行方向に連結した組立建物が記載されている。この組立建物は、複数の屋根がそれぞれ独立して組み立てられ、隣接する屋根同士が２０ｍｍ程度の隙間を開けて配置され、隣接する屋根の妻垂木同士を連結材で連結している。各屋根は、垂木、桁、野縁等の多数の部材を組み合わせて骨組を形成し、その骨組の上に適当な大きさに分割された樹脂製のパネルを載せ、パネル押えによってパネルを骨組に固定した構造となっている。
このような従来の組立建物は、屋根の部品点数が多く施工に手間がかかると共に、屋根同士を連結するのにも手間がかかる。
【先行技術文献】
【非特許文献】
【０００３】
【非特許文献１】三協立山アルミ株式会社発行のカタログ「ガーデンエクステリア  施工手引書  車庫まわり１  カーポート編」（カタログＮｏ．ＳＴＸ０３５９Ａ Ｔ．０８．１１−０１５）、２００８年１１月、ｐ．３８４−３８５
【発明の概要】
【発明が解決しようとする課題】
【０００４】
本発明は以上に述べた実情に鑑み、奥行き方向に長い屋根であっても容易に施工できる組立建物の提供を目的とする。
【課題を解決するための手段】
【０００５】
上記の課題を達成するために請求項１記載の発明による組立建物は、複数の屋根材と屋根支持材と屋根つなぎ材とを備え、屋根材は、一方側の側縁部に上取付片を有し、他方側の側縁部に下取付片を有し、隣接する屋根材の上取付片と下取付片とを重ねてネジ止めしてあり、屋根つなぎ材は、任意の屋根材間に配置され、本体とカバーとを有し、本体は取付具を介して屋根支持材に取付けてあり、カバーは本体にネジ止めしてあり、屋根つなぎ材の一方側に位置する屋根材の下取付片又は屋根つなぎ材の他方側に位置する屋根材の上取付片のうちの一方の取付片が本体にネジ止めされ、他方の取付片がカバーにネジ止めされ、カバーを本体から外すことでカバーにネジ止めされた屋根材を取外し可能となることを特徴とする。
【０００６】
請求項２記載の発明による組立建物は、複数の屋根材と屋根支持材と屋根つなぎ材とを備え、屋根材は、一方側の側縁部に上取付片を有し、他方側の側縁部に下取付片を有し、隣接する屋根材の上取付片と下取付片とを重ねてネジ止めしてあり、屋根つなぎ材は、任意の屋根材間に配置され、本体とカバーとを有し、本体は取付具を介して屋根支持材に取付けてあり、カバーは本体にネジ止めしてあり、屋根つなぎ材の一方側に位置する屋根材の下取付片又は屋根つなぎ材の他方側に位置する屋根材の上取付片のうちの一方の取付片が本体にネジ止めされ、他方の取付片が連結具を介して本体にネジ止めされ、カバーを本体から外すことで連結具を介して本体にネジ止めされた屋根材を取外し可能となることを特徴とする。
【発明の効果】
【０００７】
請求項１記載の発明による組立建物は、隣接する屋根材の上取付片と下取付片とを重ねてネジ止めすることで、屋根材を幅方向に順次連結して施工でき、しかも任意の屋根材間に屋根つなぎ材を配置することで、屋根の複数の箇所から屋根材を同時施工することができ、これにより奥行き方向に長い屋根の施工が容易に行える。また、屋根つなぎ材は本体とカバーを有し、本体は取付具を介して屋根支持材に取付けてあり、カバーは本体にネジ止めしてあり、屋根つなぎ材の一方側に位置する屋根材の下取付片又は屋根つなぎ材の他方側に位置する屋根材の上取付片のうちの一方の取付片が本体にネジ止めされ、他方の取付片がカバーにネジ止めされ、カバーを本体から外すことでカバーにネジ止めされた屋根材を取外し可能となるので、施工後に途中の屋根材を取外すのが容易であり、これにより屋根のメンテナンスが容易に行える。
【０００８】
請求項２記載の発明による組立建物は、隣接する屋根材の上取付片と下取付片とを重ねてネジ止めすることで、屋根材を幅方向に順次連結して施工でき、しかも任意の屋根材間に屋根つなぎ材を配置することで、屋根の複数の箇所から屋根材を同時施工することができ、これにより奥行き方向に長い屋根の施工が容易に行える。また、屋根つなぎ材は本体とカバーを有し、本体は取付具を介して屋根支持材に取付けてあり、カバーは本体にネジ止めしてあり、屋根つなぎ材の一方側に位置する屋根材の下取付片又は屋根つなぎ材の他方側に位置する屋根材の上取付片のうちの一方の取付片が本体にネジ止めされ、他方の取付片が連結具を介して本体にネジ止めされ、カバーを本体から外すことで連結具を介して本体にネジ止めされた屋根材を取外し可能となるので、施工後に途中の屋根材を取外すのが容易であり、これにより屋根のメンテナンスが容易に行える。
【図面の簡単な説明】
【０００９】
【図１】図３のＡ−Ａ断面図である。
【図２】図３のＢ−Ｂ断面図である。
【図３】本発明の組立建物の第１実施形態を示す平面図である。
【図４】同組立建物の正面図である。
【図５】屋根材の取付け方を示す縦断面図である。
【図６】本発明の組立建物の第２実施形態を示す平面図である。
【図７】図６のＣ−Ｃ断面図である。
【図８】図７の屋根において、屋根つなぎ材に隣接する屋根材を取外すときの様子を示す縦断面図である。
【図９】図６のＣ−Ｃ断面図であって、屋根つなぎ材の他の実施形態を示す。
【図１０】図９の屋根において、屋根つなぎ材に隣接する屋根材を取外すときの様子を示す縦断面図である。
【図１１】（ａ）は第２実施形態の組立建物において、屋根材の施工途中の状態を示す平面図であり、（ｂ）は屋根材のメンテナンスを行う際に取外す屋根材をハッチングして示す平面図である。
【図１２】第２実施形態の組立建物の応用例であって、屋根にＬＥＤ照明を取付けた例を示す平面図である。
【図１３】図１２のＤ−Ｄ断面図である。
【図１４】本発明の組立建物の第３実施形態を示す正面図である。
【図１５】第３実施形態の組立建物の屋根の縦断面図であって、屋根材同士の連結部を示す。
【図１６】第３実施形態の組立建物の屋根の縦断面図であって、屋根材が屋根つなぎ材を介して連結された部分を示す。
【発明を実施するための形態】
【００１０】
以下、本発明の実施の形態を図面に基づいて説明する。図１〜４は、本発明に係る組立建物の第１実施形態を示している。この組立建物は、バス停や通路等に用いられるシェルターであり、図３，４に示すように、前後方向に間隔をおいて２本の支柱１３が地面から立設してあり、各支柱１３の上端部にＬ型の連結金具１４（図２参照）を使用して梁１５が左右方向に片持ち状に連結して設けてあり、梁１５の下面には梁１５の長手方向に間隔をおいて２本の野縁２が前後方向に架設され、野縁２に固定して屋根１２が設置してある。屋根１２はフラットなもので、図４に示すように、右から左に向かって下り勾配で傾斜している。
【００１１】
屋根１２は、図３に示すように、複数の帯板状の屋根材１，１，…が前後方向に並べて配置され、屋根１２の前側と後側と右側の端部に端部枠１６ａ，１６ｂ，１６ｃを取付け、屋根１２の左側の端部に樋１７を取付けて構成されている。
各屋根材１は、図１に示すように、複数の中空部４を幅方向に隣接して有するアルミニウム合金の押出形材であり、それ自体が屋根１２の構造材としての強度を有するものとなっている。屋根材１は、後側の端部の上側に断面Ｌ型の上取付片５を有し、前側の端部に板状の下取付片６を有しており、図１，５に示すように、隣接する屋根材１，１の上取付片５と下取付片６とを上下に重なるように係合させ、上方からネジ１８を打ち込んで固定することで、前側のものから順次連結して施工される。上取付片５には、目板１９が上方から嵌合取付され、ネジ１８を隠している。下取付片６の上面には帯状のパッキン４１が長手方向に沿って取付けてあり、このパッキン４１が上取付片５と下取付片６の間に挟み込まれることで、屋根材１同士の連結部から雨水が浸入するのを防いでいる。また、上取付片５の下方に断面Ｌ型の樋部２０が形成してあり、仮に前記連結部から雨水が浸入したとしても、その雨水は樋部２０を通じて屋根１２左端の樋１７に流れるので、屋根材１同士の間から雨水が下に落ちることがない。
【００１２】
屋根材１は、図１に示すように、真ん中の中空部４の上面側に裏板保持部２１を有し、裏板保持部２１にナットが溶接された裏板２２を取付けてある。
野縁２は、図２に示すように、下面に屋根材１を取付けるための取付具３が係合する係合部２３を長手方向に沿って有しており、その係合部２３に係合させて取付具３が一定の間隔をあけて取付けてある。各屋根材１は、図１，５に示すように、取付具３に上方から挿入したボルト２４を前記裏板２２のナットに螺入することで、野縁２に取付けてある。このように屋根材１を取付具３を介して野縁２に取付けることで、野縁２の下縁と屋根材１上面との間に２０ｍｍ弱の隙間２５が形成されており、これにより屋根材１の上面を伝う雨水が野縁２で堰き止められることなく樋１７まで流れる。また、図２に示すように、屋根材１の左側の端部の小口は開放し、樋１７に臨ませてあるので、屋根材１の中空部４内に浸入した雨水も樋１７に流すことができる。
【００１３】
支柱１３は、図２に示すように、支柱本体２６とカバー２７とから成り、カバー２７は梁１５から少し下がったところに途切れた部分２８を有し、そこに屋根１２の樋１７を呑み込ませている。カバー２７内には縦樋２９が収納されており、屋根１２の樋１７と縦樋２９とを連結パイプを介さずに直接繋いである。このようにすることで、縦樋２９が外観に露出せず、且つ屋根１２の樋１７と縦樋２９とを繋ぐ連結パイプも無いため、意匠性が良いと共に、屋根１２の樋１７に溜まる雨水が縦樋２９にまっすぐ流下するため、排水性も高い。
【００１４】
次に、本シェルターの施工手順を説明する。まず、支柱１３を所定の位置に立設する。次に、支柱１３の上端部に梁１５を連結金具１４で連結する。次に、梁１５の下に野縁２を架設する。次に、野縁２の下に屋根材１を前側のものから順次連結しながら取付ける。全ての屋根材１を取付けたら、端部枠１６ａ，１６ｂ，１６ｃ及び樋１７を取付ける。最後に樋１７を、支柱１３内に収納した縦樋２９と連結する。
【００１５】
以上に述べたように本シェルターは、屋根材１が中空部４を有する形材であり、一方の側縁部に上取付片５を有し、他方の側縁部に下取付片６を有し、上取付片５と下取付片６とを係合させて隣接する屋根材１を連結し、各屋根材１を取付具３により野縁２に取付ける構成により、屋根１２の部品点数を少なくでき、屋根１２の施工性が良好である。また、屋根材１，１，…間に隙間がなく強固に連結された屋根１２を形成できる。屋根材１は、上取付片５の下方に樋部２０を有しているので、屋根材１同士の間から雨水が落ちるのを防ぐことができる。
【００１６】
図６，７は、本発明に係る組立建物の第２実施形態を示している。この組立建物も、バス停や通路等に用いられるシェルターであり、支柱１３及び梁１５が前後方向に間隔をおいて４本設けてあって、屋根１２の前後方向の奥行が第１実施形態のものより大幅に長くなっている。
本シェルターは、基本的な構成は第１実施形態のものと共通であり、以下、第１実施形態と異なる点について説明する。
【００１７】
屋根１２は、第１実施形態と同じように複数の屋根材１，１，…を前後方向に連結して構成され、図６に示すように、所定の間隔おきに屋根材１，１間に屋根つなぎ材７を配置してある。具体的には、屋根つなぎ材７は、前から２本目と３本目の梁１５の真下に配置してあって、支柱１３と同じ間隔で設けてある。
屋根つなぎ材７は、図７に示すように、本体８とカバー９とで構成されている。本体８は、中空部３０を有する形材であり、中空部３０内の上部にナットが溶接された裏板３１が保持してあり、野縁２の下面に取付けた取付具１１に挿入したボルト３２を裏板３１のナットに螺入することで、野縁２に固定してある。本体８は、後側の側面の上寄りに上取付片３３を有しており、屋根つなぎ材７の後側に位置する屋根材１の下取付片６を本体８の上取付片３３の下に重ね、上方からネジ３４で固定してある。本体８の上取付片３３には目板３５を嵌合取付し、ネジ３４を隠している。
カバー９は、本体８の下面にネジ３６で取付けてあり、屋根つなぎ材７の前後に位置する屋根材１，１間の隙間を隠している。カバー９を本体に取付けているネジ３６は、カバー９に下方より嵌合取付けした目板３７により隠されている。カバー９は、前側の端部に下取付片３８を有しており、屋根つなぎ材７の前側に位置する屋根材１の上取付片５をカバー９の下取付片３８の上に重ね、上方からネジ３９で固定してある。カバー９は、本体８へのネジ止め部の前後両側に溝形の樋部４２，４２を有しており、屋根材１，１と屋根つなぎ材７の間から浸入した雨水を前記樋部４２，４２で受けて樋１７に流すようにしてあり、これにより屋根材１，１と屋根つなぎ材７との間から雨水が落ちるのを防いでいる。屋根つなぎ材７は、屋根材１と同じ厚みで構成されており、そのため屋根つなぎ材７が目立たないようになっている。
屋根つなぎ材７は以上のように構成され、図８に示すように、カバー９を本体８から外すことで、屋根つなぎ材７の前側の屋根材１を取外し可能となる。そうして、屋根つなぎ材７の前側の屋根材１を取外せば、さらにその前側の屋根材１を順次取外すことができる。
【００１８】
本実施形態のシェルターは、所定の間隔おきに屋根材１間に屋根つなぎ材７を配置したことにより、図１１（ａ）に示すように、屋根つなぎ材７を介して区画される屋根１２の複数の領域１２ａ，１２ｂ，１２ｃの屋根材１を同時進行で施工することができる。これにより奥行き方向に長い屋根１２の施工が容易に行える。
また、屋根１２の中間の屋根材１が破損するなどして交換したい場合、屋根つなぎ材７がないとすると、交換したい屋根材１より後側の屋根材１を全て取り外さなければならないが、本実施形態のシェルターは、図１１（ｂ）に示すように、屋根つなぎ材７より前側に位置する屋根材１ａだけを取り外すことで、中間の屋根材１ｂを取外すことができる。よって、屋根１２のメンテナンスが容易に行える。前側の屋根材１の上取付片５をカバー９にネジ止めしてあるため、カバー９を本体８から外すと、前側の屋根材１がカバー９と一緒に外せるので、屋根材１の交換等を行う際の作業性が良い。
【００１９】
図９は、屋根つなぎ材７の他の実施形態を示している。本実施形態のものは、カバー９に下取付片３８を有しておらず、本体８の下面にカバー９とは別にネジ４０で固定した連結具１０に下取付片３８を設け、屋根つなぎ材７の前側に位置する屋根材１の上取付片５を連結具１０の下取付片３８の上に重ね、上方からネジ３９で固定してある。連結具１０は、下取付片３８の後側に隣接して溝形の樋部４３を有し、屋根材１と屋根つなぎ材７との間から浸入した雨水を樋部４３で受けて樋１７に流すようにしている。
このように構成した場合も、図１０に示すように、カバー９を本体８から取り外すと共に、連結具１０を本体８に取付けているネジ４０を外すことで、屋根つなぎ材７の前側の屋根材１を取外し可能となる。本実施形態によれば、連結具１０に設けた樋部４３とカバー９に設けた樋部４２とで、屋根材１と屋根つなぎ材７間に浸入する雨水を２段階に止水するため、止水性がより一層向上する。なお連結具１０は、本体８やカバー９とほぼ同じ長さの長尺材であってもよいが、短尺のものとして間隔をおいて配置することもできる。カバー９が前後の屋根材１，１と縁が切れており、カバー９だけを単独で本体８から外せるので、カバー９の着脱がしやすく、カバー９内の清掃やメンテナンス等が容易に行える。また、カバー９に屋根材１のネジ止め部を設ける必要がないので、カバー９の断面形状が簡単になり、材料費も抑えられる。
【００２０】
図１２，１３は、第２実施形態の組立建物の応用例であって、屋根１２にＬＥＤ照明４４を取付けた例を示している。屋根１２は、第１，２実施形態と同じように、複数の屋根材１，１，…を前後方向に連結して構成され、所定の間隔おきにＬＥＤ照明付き屋根材１ｃを配置してある。本実施例では、ＬＥＤ照明付き屋根材１ｃは、４本配置された梁１５の前方又は後方に隣接する位置に配置され、前から２番目と３番目のＬＥＤ照明付き屋根材１ｃは、先に説明した屋根つなぎ材７の前方に隣接して配置されている。
【００２１】
ＬＥＤ照明付き屋根材１ｃは、図１３に示すように、幅方向の中間の中空部４の下面に凹部４５が長手方向に沿って形成され、その凹部４５に埋め込む形で照明用外枠４６とＬＥＤ照明４４を配置し、ネジ４７で固定してある。ＬＥＤ照明４４の配線（図示省略）は、照明用外枠４６に通してから、ＬＥＤ照明付き屋根材１ｃの端部より柱１３内に案内してある。
このようにＬＥＤ照明４４を屋根材１ｃに埋め込んで設置したことで、ＬＥＤ照明４４が屋根材１ｃの下面からほとんど飛び出さず、スマートな意匠になる。また、ＬＥＤ照明４４の取り外しが容易で、メンテナンス性にも優れている。さらに、ＬＥＤ照明付き屋根材１ｃを屋根つなぎ材７の前方に隣接して配置することで、ＬＥＤ照明付きでない通常の屋根材１からＬＥＤ照明付き屋根材１ｃに後から取り替えることも容易である。ＬＥＤ照明４４がＬＥＤ照明付き屋根材１ｃの凹部４５に埋め込んであり、且つＬＥＤ照明付き屋根材１ｃの取り外しが可能であることから、ＬＥＤ照明４４の配線をＬＥＤ照明４４と屋根材１ｃの間に配置し、屋根材１ｃの端部から柱１３内に配線を案内することで、配線を見せないようにすることが容易である。また、ＬＥＤ照明付き屋根材１ｃをＬＥＤ照明４４を埋め込んだままの状態で取外してＬＥＤ照明４４のメンテナンスを行ったり、ＬＥＤ照明４４を設置するにあたり、地上で屋根材１ｃにＬＥＤ照明４４を取付けてから、屋根材１ｃを取付けたりできるので、メンテナンス性や施工性がよい。屋根材１ｃの凹部４５に、ＬＥＤ照明以外の照明器具（例えば、蛍光灯など）を取付けることもできる。
【００２２】
図１４〜１６は、本発明に係る組立建物の第３実施形態を示している。第１・第２実施形態は、屋根１２を梁１５の下に設置していたが、本実施形態は図１４に示すように、屋根１２を梁１５の上に設置したものである。本実施形態は、屋根つなぎ材７を有しないタイプ（第１実施形態）、所定の屋根材１，１間に屋根つなぎ材７を配置したタイプ（第２実施形態）の何れにも対応可能である。
屋根１２の構造は、梁１５の上面に野縁２を架設し、図１５に示すように、野縁２上に各屋根材１，１，…を取付具３を介して取付けている。屋根材１は、第１実施形態のものと共通であり、屋根材１同士を連結する構造も第１実施形態と同様である。
屋根つなぎ材７は、屋根１２の前後方向の奥行が長い場合に、図１６に示すように、屋根１２中に所定の間隔をおいて屋根材１，１間に配置される。屋根つなぎ材７は、第２実施形態と共通であり、屋根つなぎ材７と屋根材１との連結構造、屋根つなぎ材７のカバー９を外すことで、屋根つなぎ材７の前側の屋根材１を取外し可能となる点は、第２実施形態と同様である。
【００２３】
本発明は以上に述べた実施形態に限定されない。屋根材１の係合部（上取付片５）と被係合部（下取付片６）は、互いに係合するように形成されていればよく、その形状は適宜変更することができる。係合部と被係合部をネジ止めすることは、必ずしも必須ではない。屋根つなぎ材７を配置する場所や本数は、屋根１２の大きさ（奥行き方向の長さ）に応じて適宜変更することができ、屋根１２の真ん中に１本だけ屋根つなぎ材７を配置することもできる。本発明は、シェルターに限らず、カーポート、テラス等、あらゆる組立建物に適用することができる。
【符号の説明】
【００２４】
１  屋根材
２  野縁（屋根支持材）
３  取付具
４  中空部
５  上取付片（係合部）
６  下取付片（被係合部）
７  屋根つなぎ材
８  本体
９  カバー
１０  連結具
１１  取付具
１２  屋根
【図１】
0006347738.tif 000002
【図２】
0006347738.tif 000003
【図３】
0006347738.tif 000004
【図４】
0006347738.tif 000005
【図５】
0006347738.tif 000006
【図６】
0006347738.tif 000007
【図７】
0006347738.tif 000008
【図８】
0006347738.tif 000009
【図９】
0006347738.tif 000010
【図１０】
0006347738.tif 000011
【図１１】
0006347738.tif 000012
【図１２】
0006347738.tif 000013
【図１３】
0006347738.tif 000014
【図１４】
0006347738.tif 000015
【図１５】
0006347738.tif 000016
【図１６】
0006347738.tif 000017